(57)【要約】本発明は足湯用水槽に関し、本発明による足湯用水槽は一対の側面フレームと；上記一対の側面フレームの間に連結される複数のリンク部材と；上記側面フレームまたはリンク部材の中の少なくとも何れか一つに附着されて入浴水を貯留することができる可変性防水カバーと；を含む。ここで、上記リンク部材は少なくとも一方向に回転する関節部によって連結されて、上記一対の側面フレームの間の相対運動を許容する。
2010529882.tif 000002
【特許請求の範囲】
【請求項１】
一対の側面フレームと；
上記一対の側面フレームの間に連結される複数のリンク部材と；
上記側面フレームまたはリンク部材の中の少なくとも何れか一つに附着されて、入浴水を貯留することができる可変性防水カバーと；を含み、
上記リンク部材は、少なくとも一方向に回転する関節部によって連結され、上記一対の側面フレームの間の相対運動を許容し、
上記関節部は上記一対の側面フレームが互いに近くなったり、遠くなったりする方向に回転する第１関節運動及び上記第１関節運動の回転方向と異なる方向に回転する第２関節運動をすることを特徴とする足湯用水槽。
【請求項２】
上記関節部は、
上記リンク部材の間に設置される中間関節部と；
上記リンク部材と上記側面フレームとの間に設置されるコーナー関節部と；を含むことを特徴とする請求項１に記載の足湯用水槽。
【請求項３】
上記中間関節部は、第１ヒンジ軸で連結される一対の中間連結片を含み、
上記各中間連結片は、上記リンク部材の一端部に、上記第１ヒンジ軸と交差する方向の第２ヒンジ軸で連結されることを特徴とする請求項２に記載の足湯用水槽。
【請求項４】
上記中間連結片が設置されたリンク部材の端部には、上記リンク部材が上記第２ヒンジ軸を基準に回転する場合、リンク部材の相互の間の干渉を防止する切開溝が備えられることを特徴とする請求項３に記載の足湯用水槽。
【請求項５】
上記コーナー関節部は、上記側面フレームの一側に第３ヒンジ軸で連結されるコーナー連結片を含み、
上記リンク部材は、上記コーナー連結片に上記第３ヒンジ軸と交差する方向の第４ヒンジ軸で連結されることを特徴とする請求項２に記載の足湯用水槽。
【請求項６】
上記一対の側面フレームの下部に中央が折り畳まれる基板をさらに含むことを特徴とする請求項１に記載の足湯用水槽。
【請求項７】
上記一対の側面フレームに相互の間の引力が作用する磁石をさらに含むことを特徴とする請求項１に記載の足湯用水槽。
【請求項８】
上記防水カバーは透明であることを特徴とする請求項１に記載の足湯用水槽。
【請求項９】
請求項１または２による足湯用水槽を含むことを特徴とする足湯器。
【発明の詳細な説明】
【技術分野】
【０００１】
本発明は足湯器に関し、さらに詳しくは、入浴水を貯留することができる足湯器用水槽に関する。
【背景技術】
【０００２】
最近、足を刺激して体内の老廃物の排泄を促進させて、循環障害を改善させる足健康法がマスコミを通じて知られ始めながら、ストレス、運動不足及び疲れなどで健康を失って行く現代人に足健康法に対する関心が集中されている実情である。
【０００３】
上記のような血液循環の障害を防止するため、水に足や手を浸して停滞された血液を活性化させて、体温の不均衡状態を改善する足湯器が多数開発されている。
【０００４】
一般に、足湯器は入浴水を貯留する水槽、入浴水を所定の温度に加熱する加熱部、入浴水に気泡を生成させる気泡発生部、及び水槽の底面に提供される指圧板で構成される。
【０００５】
ところが、従来の足湯器の水槽は、足を収容するとともに、入浴水を貯留することができる充分な空間を備えなければならないため、その体積が相当大きいという問題点がある。このような水槽の体積によって、足湯器は、通常風呂場などの制限された場所でのみ使うことができ、使用者がポータブルで所望の場所で使うことができないという問題点がある。
【発明の概要】
【発明が解決しようとする課題】
【０００６】
本発明は、上記のような問題点を解決するために創出されたもので、本発明は、使用者が体積を可変的に調節することによって、搬送及び携帯が容易な足湯器用水槽及びこれを含む足湯器を提供することを目的とする。
【課題を解決するための手段】
【０００７】
上記の目的を達するための本発明による足湯用水槽は、一対の側面フレームと；上記一対の側面フレームの間に連結される複数のリンク部材と；上記側面フレームまたはリンク部材の中の少なくともいずれか一つに附着されて、入浴水を貯留することができる可変性防水カバーと；を含む。ここで、上記リンク部材は、少なくとも一方向に回転する関節部によって連結されて、上記一対の側面フレームの間の相対運動を許容する。
【０００８】
また、上記関節部は、上記一対の側面フレームが互いに近くなったり、遠くなったりする方向に回転する第１関節運動と；上記第１関節運動の回転方向と異なる方向に回転する第２関節運動とをすることができる。
【０００９】
また、上記関節部は、上記リンク部材の間に設置される中間関節部と；上記リンク部材と上記側面フレームとの間に設置されるコーナー関節部と；を含むことができる。
【００１０】
また、上記中間関節部は、第１ヒンジ軸で連結される一対の中間連結片を含み、上記各中間連結片は、上記リンク部材の一端部に、上記第１ヒンジ軸と交差する方向の第２ヒンジ軸で連結されることができる。
【００１１】
また、上記中間連結片が設置されたリンク部材の端部には、上記リンク部材が上記第２ヒンジ軸を基準に回転する場合、リンク部材の相互の間の干渉を防止する切開溝を備えることができる。
【００１２】
また、上記コーナー関節部は、上記側面フレームの一側に第３ヒンジ軸で連結されるコーナー連結片を含み、上記リンク部材は、上記コーナー連結片に上記第３ヒンジ軸と交差する方向の第４ヒンジ軸で連結されることができる。
【００１３】
また、上記一対の側面フレームの下部には、中央が折り畳まれる基板がさらに設置されることができる。
【００１４】
また、上記一対の側面フレームには、相互の間の引力が作用する磁石がさらに設置されることができる。
【００１５】
また、上記防水カバーは透明な材質からなることができる。
【００１６】
また、本発明は上記足湯用水槽を含む足湯器を提供する。
【発明の効果】
【００１７】
以上で説明したように、本発明による足湯器は、自在に折り畳んだり広げたりすることができる水槽と、水槽から選択的に分離可能な制御器を備えることによって、搬送が容易で、使用者が携帯して所望の所で使用することができるという長所がある。
【図面の簡単な説明】
【００１８】
【図１】本発明の実施形態による足湯器の分解斜視図である。
【図２】本発明の実施形態による足湯用水槽の中間関節部を示す部分斜視図である。
【図３】本発明の実施形態による足湯用水槽のコーナー関節部を示す部分斜視図である。
【図４】図１に図示された足湯用水槽の作動を順次に示す図面である。
【図５】図１に図示された足湯用水槽の作動を順次に示す図面である。
【図６】図１に図示された足湯用水槽の作動を順次に示す図面である。
【図７】図１に図示された足湯用水槽の作動を順次に示す図面である。
【図８】図１に図示された足湯用水槽の作動を順次に示す図面である。
【発明を実施するための形態】
【００１９】
以下、本発明の実施形態による足湯器について添付した図面を参照して詳しく説明する。
【００２０】
図１は、本発明の実施形態による足湯器の分解斜視図で、図２は本発明の実施形態による足湯用水槽の中間関節部を示す部分斜視図で、図３は本発明の実施形態による足湯用水槽のコーナー関節部を示す部分斜視図である。
【００２１】
図１によれば、本発明の実施形態による足湯器１は、入浴水を貯留することができる水槽１０と、水槽１０に選択的に分離可能に装着されて、水槽１０を区画する制御器２０とを備える。
【００２２】
まず、水槽１０は、一対の側面フレーム１１と；この一対の側面フレーム１１の間に連結される複数のリンク部材１２と；側面フレーム１１とリンク部材１２に連結されて、入浴水を貯留することができる防水カバー１３と；上記リンク部材１２を回転させるための中間及びコーナー関節部１４，１５と；一対の基板１６と；を含む。
【００２３】
先に、側面フレーム１１の中央には、開口部１１１が形成されて使用者が側面フレーム１１を容易に握ることができるようにする。本実施形態で、側面フレーム１１は、全体的に四角形に形成され、その形状は六角形など多様に変形してもよい。
【００２４】
また、側面フレーム１１の上端コーナー部には磁石１１２が配置される。この磁石１１２は、側面フレーム１１が対向して接触する時、側面フレーム１１の間に引力を発生させて、側面フレーム１１の間の結合力を増大させる。
【００２５】
側面フレーム１１の上部には、バー形状のリンク部材１２が連結され、リンク部材１２の一端は、コーナー関節部１５によって側面フレーム１１と連結され、その他端は中間関節部１４によって隣接した他のリンク部材１２の他端と連結される。この中間関節部１４とコーナー関節部１５とも２方向に回転する。
【００２６】
本実施形態では、リンク部材１２を４つ用いているが、その個数と配列は側面フレーム１１の間の相対運動を確保することができる場合であれば、多様に変更することができる。
【００２７】
防水カバー１３は、上記側面フレーム１１、またはリンク部材１２の中の少なくともいずれか一つに附着され、上記側面フレーム１１及びリンク部材１２が作動しても、その形状が可変できる材質で形成される。また、防水カバー１３は、ビニールのような透明な材質で形成されることができる。図１で防水カバー１３は２点鎖線で示す。
【００２８】
一対の基板１６は、中央が回転するようにヒンジ結合され、その両端部は上記側面フレーム１１の下端に回転するようにそれぞれヒンジ結合される。これによって、一対の基板１６は、上記側面フレーム１１の間に相対運動が発生する時、中央のヒンジ結合点を基準に回転する。基板１６は入浴水が貯留された防水カバー１３を下部で支持する役割を果たす。
【００２９】
また、制御器２０は、ハウジング２１及びハウジング２１の内に装着されるヒーター、殺菌器、酸素発生器及び振動素子など（図示せず）を備える。制御器２０は、電源コード２２を通じて電源が印加される。上記制御器２０は、上記水槽１０内で固定構造によって基板１６に固定され、特別な固定構造なしに単純に基板１６の上に置かれた状態で用いることができる。制御器２０は、本実施形態の以外にも公知の物が用いられることができる。
【００３０】
図２によれば、中間関節部１４は、第１ヒンジ軸１４１で連結された一対の中間連結片１４２を含む。各中間連結片１４２は、リンク部材１２の他端に第２ヒンジ軸１４３で連結され、第２ヒンジ軸１４３は、上記第１ヒンジ軸１４１と交差する方向に設置される。これによって、中間関節部１４は、第１ヒンジ軸１４１を基準に回転する第１関節運動と、第２ヒンジ軸１４３を基準に回転する第２関節運動ができる。一方、第１ヒンジ軸１４１と、第２ヒンジ軸１４３とが成す角度は必ず垂直でなくてもよく、多様に変形することができる。
【００３１】
一方、リンク部材１２の他端には切開溝１２１が形成される。切開溝１２１は、一対のリンク部材１２が第２ヒンジ軸１４３を基準に回転する場合、リンク部材１２の相互の間の干渉を避けるために形成される。
【００３２】
図３によれば、コーナー関節部１５は、側面フレーム１１のコーナーに第３ヒンジ軸１５１で連結されるコーナー連結片１５２を含む。側面フレーム１１のコーナーには、コーナー連結片１５２の第３ヒンジ軸１５１を基準にした回転を確保するために充分な空間が形成される。また、コーナー連結片１５２の一側には、リンク部材１２の一端が第４ヒンジ軸１５３によって連結される。第３ヒンジ軸１５１と第４ヒンジ軸１５３は互いに交差する方向に設置される。一方、第３ヒンジ軸１５１と第４ヒンジ軸１５３とが成す角度は必ず垂直でなくてもよく、多様に変形することができる。
【００３３】
第３ヒンジ軸１５１は中間関節部１４の第２関節運動の時回転し、第４ヒンジ軸１５３は中間関節部１４の第１関節運動の時回転する。
【００３４】
ここまで、足湯器１の構造について説明した。以下では、足湯用水槽１０の作動について図４から図８を参考して説明する。
【００３５】
図４から図８は、図１に図示された足湯用水槽の作動を順次に示す図面であり、完全に広げた状態の水槽１０で完全に畳まれた状態の水槽になる過程を示す。
【００３６】
まず、図４は足湯器を使用する時の水槽１０を示す平面図で、水槽１０を完全に広げると、その平面形状が六角形に形成される。一方、水槽１０を畳む前に予め制御器２０を水槽１０から分離する。
【００３７】
図５は第２関節運動の後の様子を示す水槽１０の平面図で、各リンク部材１２は第２ヒンジ軸１４３と第３ヒンジ軸１５１を基準に回転し、側面フレーム１１の間の距離はさらに遠くなる。これによって、水槽１０の全体的な形状は矩形になる。図５の矢印はリンク部材１２の動く方向を示す。図６は図５に図示された水槽１０を側面から眺めた様子を示す。
【００３８】
次に、図７は第１関節運動をする様子を示す水槽１０の側面図で、各リンク部材１２は第１ヒンジ軸１４１と第４ヒンジ軸１５３を基準に回転し、基板１６もヒンジ結合支点を基準に回転する。このような回転が続きながら側面フレーム１１の間の距離はますます近くなる。すなわち、第１関節運動によって側面フレーム１１は互いに近くなったり遠くなったりする。
【００３９】
図８は水槽１０が完全に畳まれた状態を示す。この時、磁石１１２によって側面フレーム１１は堅固に接触する。また、防水カバー１３は可変性材質からなるので、上記のように、水槽１０が畳まれた状態で作動しても、水槽１０の作動を邪魔しない。
【００４０】
図８で示したように、水槽１０が完全に畳まれると、体積が完全に広げた状態より顕著に減少して、携帯が便利になる。
【００４１】
上記では本発明の好ましい実施形態について説明したが、本発明はこれに限定されるものではなく、特許請求の範囲と発明の詳細な説明及び添付した図面の範囲内で様々に変形して実施することが可能であり、これも本発明の範囲に属するものと理解することができる。
（産業上の利用の可能性）
【００４２】
本発明は、自在に折り畳んだり広げたりすることができる水槽と、水槽から選択的に分離可能な制御器を備えた足湯器を提供する。
【図１】
2010529882.tif 000003
【図２】
2010529882.tif 000004
【図３】
2010529882.tif 000005
【図４】
2010529882.tif 000006
【図５】
2010529882.tif 000007
【図６】
2010529882.tif 000008
【図７】
2010529882.tif 000009
【図８】
2010529882.tif 000010
【国際調査報告】
2010529882.tif 000011
2010529882.tif 000012